(57)【要約】【課題】ユーザの聴覚特性に応じて最適な特性に調整することが可能な補聴器、及び、そのための補聴器システムを提供する。【解決手段】情報端末はユーザの入力に基づいて、ユーザのプロフィールを取得してサーバへ送信する。サーバは、ユーザの標準的な聴覚特性を示す標準聴覚特性情報を記憶するデータベースを参照し、当該プロフィールに合致する標準聴覚特性情報を情報端末へ送信する。情報端末は、サーバから標準聴覚特性情報を受信して補聴器に送信し、補聴器は、標準聴覚特性情報に基づいてテスト音声を再生する。ユーザがテスト音声を聞いて、ユーザの評価を示す使用感情報を入力すると、情報端末は、使用感情報に基づいて前記標準聴覚特性情報を修正して、当該ユーザの聴覚特性を示す個別聴覚特性情報を生成し、補聴器に送信する。そして、補聴器は、個別聴覚特性情報に基づいて、外部音声を補正して再生する。【選択図】図６
2017069762.tif 000002
【特許請求の範囲】
【請求項１】
補聴器と、情報端末と、サーバとを備える補聴器システムであって、
前記サーバは、
ユーザのプロフィール毎に、当該プロフィールに該当するユーザの標準的な聴覚特性を示す標準聴覚特性情報を記憶するデータベースと、
前記情報端末からユーザのプロフィールを受信し、当該プロフィールに合致する標準聴覚特性情報を前記情報端末へ送信する標準聴覚特性情報送信手段と、を備え、
前記情報端末は、
ユーザの入力に基づいて、前記ユーザのプロフィールを取得して前記サーバへ送信するプロフィール送信手段と、
前記サーバから前記標準聴覚特性情報を受信し、前記補聴器に送信する標準聴覚特性情報転送手段と、
ユーザの入力に基づいて、前記補聴器が再生したテスト音声に対するユーザの評価を示す使用感情報を取得する使用感情報取得手段と、
前記使用感情報に基づいて前記標準聴覚特性情報を修正して、当該ユーザの聴覚特性を示す個別聴覚特性情報を生成し、前記補聴器に送信する個別聴覚特性情報生成手段と、を備え、
前記補聴器は、
前記情報端末から、前記標準聴覚特性情報及び前記個別聴覚特性情報を受信する受信手段と、
前記標準聴覚特性情報に基づいて、テスト音声を再生するテスト音声再生手段と、
前記個別聴覚特性情報に基づいて、外部音声を補正して再生する再生手段と、
を備えることを特徴とする補聴器システム。
【請求項２】
前記補聴器は、
前記ユーザの個別聴覚特性情報を記憶する記憶部と、
ユーザの生体情報を検出するセンサと、
前記センサにより検出された生体情報に基づいて、前記個別聴覚特性情報を修正する修正手段と、を備えることを特徴とする請求項１に記載の補聴器システム。
【請求項３】
前記補聴器は、前記個別聴覚特性情報及び前記生体情報を前記情報端末へ送信し、
前記情報端末は、前記個別聴覚特性情報、前記生体情報及び前記使用感情報を前記サーバへ送信し、
前記サーバは、前記情報端末から受信した前記個別聴覚特性情報、前記生体情報及び前記使用感情報に基づいて、前記標準聴覚特性情報を修正する標準聴覚特性情報修正手段を備えることを特徴とする請求項２に記載の補聴器システム。
【請求項４】
前記生体情報は、血圧、脈波、脈拍、心拍数、体温、発汗のうちの少なくとも１つを含むことを特徴とする請求項２又は３に記載の補聴器システム。
【請求項５】
前記ユーザのプロフィールは、当該ユーザの人種、国籍、性別、年齢、既往症のうちの少なくとも１つを含むことを特徴とする請求項１乃至４のいずれか一項に記載の補聴器システム。
【請求項６】
ユーザの聴覚特性を示す個別聴覚特性情報を記憶する記憶部と、
ユーザの生体情報を検出するセンサと、
前記センサにより検出された生体情報に基づいて、前記個別聴覚特性情報を修正する修正手段と、
前記個別聴覚特性情報に基づいて、外部音声を補正して再生する再生手段と、
を備えることを特徴とする補聴器。
【請求項７】
前記生体情報は、血圧、脈波、脈拍、心拍数、体温、発汗のうちの少なくとも１つを含むことを特徴とする請求項６に記載の補聴器。
【請求項８】
ユーザの聴覚特性を示す個別聴覚特性情報を記憶する記憶部と、ユーザの生体情報を検出するセンサと、コンピュータとを備える補聴器により実行されるプログラムであって、
前記センサにより検出された生体情報に基づいて、前記個別聴覚特性情報を修正する修正手段、
前記個別聴覚特性情報に基づいて、外部音声を補正して再生する再生手段、
として前記コンピュータを機能させることを特徴とするプログラム。
【発明の詳細な説明】
【技術分野】
【０００１】
本発明は、補聴器の調整方法に関する。
【背景技術】
【０００２】
高齢者などの聴覚を補助する補聴器が知られている。補聴器は、それを使用するユーザの聴覚特性に適合したものである必要がある。特許文献１は、ユーザの聴覚特性を精度よく測定し、当該ユーザに適切な補聴器を選定するシステムを記載している。
【先行技術文献】
【特許文献】
【０００３】
【特許文献１】特開２００４−２３６８２２号公報
【発明の概要】
【発明が解決しようとする課題】
【０００４】
しかし、人間の聴覚特性は年齢とともに変化するため、購入時に最適であった補聴器の特性がその後もずっと最適であるとは限らない。また、人間の聴覚特性は、心身の状態、例えば病気の有無、興奮状態であるか落ち着いた状態であるか、などによっても影響を受けると考えられる。
【０００５】
本発明は、ユーザの聴覚特性に応じて最適な特性に調整することが可能な補聴器、及び、そのための補聴器システムを提供することを主な目的とする。
【課題を解決するための手段】
【０００６】
本発明の１つの観点は、補聴器と、情報端末と、サーバとを備える補聴器システムであって、前記サーバは、ユーザのプロフィール毎に、当該プロフィールに該当するユーザの標準的な聴覚特性を示す標準聴覚特性情報を記憶するデータベースと、前記情報端末からユーザのプロフィールを受信し、当該プロフィールに合致する標準聴覚特性情報を前記情報端末へ送信する標準聴覚特性情報送信手段と、を備え、前記情報端末は、ユーザの入力に基づいて、前記ユーザのプロフィールを取得して前記サーバへ送信するプロフィール送信手段と、前記サーバから前記標準聴覚特性情報を受信し、前記補聴器に送信する標準聴覚特性情報転送手段と、ユーザの入力に基づいて、前記補聴器が再生したテスト音声に対するユーザの評価を示す使用感情報を取得する使用感情報取得手段と、前記使用感情報に基づいて前記標準聴覚特性情報を修正して、当該ユーザの聴覚特性を示す個別聴覚特性情報を生成し、前記補聴器に送信する個別聴覚特性情報生成手段と、を備え、前記補聴器は、前記情報端末から、前記標準聴覚特性情報及び前記個別聴覚特性情報を受信する受信手段と、前記標準聴覚特性情報に基づいて、テスト音声を再生するテスト音声再生手段と、前記個別聴覚特性情報に基づいて、外部音声を補正して再生する再生手段と、を備える。
【０００７】
上記の補聴器システムでは、情報端末はユーザの入力に基づいて、ユーザのプロフィールを取得してサーバへ送信する。サーバは、ユーザの標準的な聴覚特性を示す標準聴覚特性情報を記憶するデータベースを参照し、当該プロフィールに合致する標準聴覚特性情報を情報端末へ送信する。情報端末は、サーバから標準聴覚特性情報を受信して補聴器に送信し、補聴器は、標準聴覚特性情報に基づいてテスト音声を再生する。ユーザがテスト音声を聞いて、ユーザの評価を示す使用感情報を入力すると、情報端末は、使用感情報に基づいて前記標準聴覚特性情報を修正して、当該ユーザの聴覚特性を示す個別聴覚特性情報を生成し、補聴器に送信する。そして、補聴器は、個別聴覚特性情報に基づいて、外部音声を補正して再生する。これにより、ユーザの聞こえやすさを適切に調整することができる。好適には、プロフィールは、ユーザの人種、国籍、性別、年齢、既往症のうちの少なくとも１つを含む
【０００８】
上記の補聴器システムの一態様では、前記補聴器は、前記ユーザの個別聴覚特性情報を記憶する記憶部と、ユーザの生体情報を検出するセンサと、前記センサにより検出された生体情報に基づいて、前記個別聴覚特性情報を修正する修正手段と、を備える。この態様では、ユーザの生体情報に基づいて個別聴覚特性を修正するので、ユーザの心身の状況などに応じて適切に補聴器の特性を調整することができる。好適には、生体情報は、血圧、脈波、脈拍、心拍数、体温、発汗のうちの少なくとも１つを含む。
【０００９】
上記の補聴器システムの他の一態様では、前記補聴器は、前記個別聴覚特性情報及び前記生体情報を前記情報端末へ送信し、前記情報端末は、前記個別聴覚特性情報、前記生体情報及び前記使用感情報を前記サーバへ送信し、前記サーバは、前記情報端末から受信した前記個別聴覚特性情報、前記生体情報及び前記使用感情報に基づいて、前記標準聴覚特性情報を修正する標準聴覚特性情報修正手段を備える。この態様では、多数の情報端末から送信される個別聴覚特性情報、生体情報及び使用感情報に基づいて、標準聴覚特性情報を修正することができる。
【００１０】
本発明の他の観点では、補聴器は、ユーザの聴覚特性を示す個別聴覚特性情報を記憶する記憶部と、ユーザの生体情報を検出するセンサと、前記センサにより検出された生体情報に基づいて、前記個別聴覚特性情報を修正する修正手段と、前記個別聴覚特性情報に基づいて、外部音声を補正して再生する再生手段と、を備える。
【００１１】
上記の補聴器によれば、ユーザの生体情報に基づいて個別聴覚特性を修正するので、ユーザの心身の状況などに応じて適切に補聴器の特性を調整することができる。好適には、生体情報は、血圧、脈波、脈拍、心拍数、体温、発汗のうちの少なくとも１つを含む。
【００１２】
本発明の他の観点では、ユーザの聴覚特性を示す個別聴覚特性情報を記憶する記憶部と、ユーザの生体情報を検出するセンサと、コンピュータとを備える補聴器により実行されるプログラムは、前記センサにより検出された生体情報に基づいて、前記個別聴覚特性情報を修正する修正手段、前記個別聴覚特性情報に基づいて、外部音声を補正して再生する再生手段、として前記コンピュータを機能させる。このプログラムをコンピュータで実行することにより、ユーザの心身の状況などに応じて適切に補聴器の特性を調整することができる。
【図面の簡単な説明】
【００１３】
【図１】本発明の実施形態に係る補聴器システムの概略構成を示す。
【図２】補聴器の機能構成を示すブロック図である。
【図３】ユーザの聴覚特性と補正特性の例を示す。
【図４】情報端末の機能構成を示すブロック図である
【図５】サーバの機能構成を示すブロック図である。
【図６】補聴器の調整処理のフローチャートである。
【図７】ユーザに対する質問の表示例を示す。
【図８】補聴器の通常使用処理のフローチャートである。
【発明を実施するための形態】
【００１４】
以下、図面を参照しながら、本発明の実施の形態について説明する。
［構成］
（補聴器システム）
図１は、本発明の実施形態に係る補聴器システムの概略構成を示す。図示のように、補聴器システムは、補聴器１０と、情報端末２０と、サーバ３０とを備える。補聴器１０は、ユーザの左右の耳の少なくとも一方に装着される。
【００１５】
情報端末２０は、典型的にはスマートフォンなどであり、補聴器１０と無線通信により情報を送受信する。無線通信の一例はＢｌｕｅｔｏｏｔｈ（登録商標）である。また、情報端末２０は、ネットワーク５を通じてサーバ３０と通信する。ネットワーク５の典型的な例はインターネットである。
【００１６】
サーバ３０は、多数のユーザに対して、補聴器１０を適切に調整するために必要な情報である生体マスター情報を記憶している。ユーザは、自己の補聴器１０と情報端末２０とを使用し、サーバ３０に蓄積されている生体マスター情報を利用することにより、自己の補聴器１０を最適な状態に調整することができる。
【００１７】
（補聴器）
図２は、補聴器１０の機能構成を示すブロック図である。補聴器１０は、マイク１１と、スピーカ１２と、センサ１３と、電源（バッテリ）１４と、通信部１５と、記憶部１６と、制御部１７とを備える。
【００１８】
マイク１１は、ユーザが補聴器１０を耳に装着した際に外側に位置するように設けられ、外部音声を集音する。スピーカ１２は、ユーザが補聴器１０を耳に装着した際に耳の内部に向くように設けられ、マイク１１により集音された外部音声を補正及び増幅（以下、単に「補正」と呼ぶ。）してユーザの耳の内部（外耳道）に出力する。これにより、ユーザは、外部音声を明瞭に聞き取ることが可能となる。また、スピーカ１２は、補聴器１０の調整の際にはテスト音声を出力する。
【００１９】
センサ１３は、ユーザが補聴器１０を装着した際に耳の一部に当接するように設けられ、ユーザの生体情報を検出する。具体的には、センサ１３は、ユーザの生体情報として、血圧、脈波、脈拍、心拍数、体温、発汗などを検出する。
【００２０】
電源（バッテリ）１４は、例えば小型電池などにより構成され、補聴器１０全体の電源として機能する。通信部１５は、Ｂｌｕｅｔｏｏｔｈなどにより、情報端末２０との間で無線通信を行う。
【００２１】
記憶部１６は、ユーザの聴覚特性を記憶している。聴覚特性とは、そのユーザによる音の聞き取り易さを示す特性であり、具体的には各周波数の音に対する周波数特性として示される。ある特定のユーザの聴覚特性を以下「個別聴覚特性」と呼ぶ。図３は、個別聴覚特性の例を示す。図３の特性Ｃ１は、あるユーザ（日本人、男性、６５才）の個別聴覚特性を示す。一般的に人間の可聴帯域は２０〜２０ｋＨｚ程度と言われており、特性Ｃ１は、可聴帯域においてユーザが聞き取ることができる音のレベル（感度）を示している。この例では、ユーザは低音域と高音域における感度が低下している。
【００２２】
また、記憶部１６は、センサ１３が検出した生体情報を一時的に記憶する。さらに、記憶部１６には、補聴器１０が、マイク１１で集音した外部音声を補正してスピーカ１２から出力する処理（以下、「再生処理」と呼ぶ。）を行うためのプログラムが記憶されている。
【００２３】
制御部１７は、補聴器１０の各構成要素を制御する。まず、基本的な処理として、制御部１７は、マイク１１で集音された外部音声を、ユーザの個別聴覚特性に基づいて補正してスピーカ１２から出力する再生処理を行う。具体的には、制御部１７は、ユーザの個別聴覚特性に基づいて補正特性を決定し、マイク１１で集音した外部音声をこの補正特性に従って補正してスピーカ１２から出力させる。図３は、上述した個別聴覚特性Ｃ１に対応する補正特性Ｃ２を示す。この例は、基本的にユーザの個別聴覚特性を全帯域でほぼフラットになるように補正するものであり、特性Ｃ１における感度が低い低音域及び高音域において、外部音声のレベルを増加させる特性となっている。このように、個別聴覚特性に基づいて外部音声を補正して出力することにより、ユーザの聞こえやすさを改善することができる。
【００２４】
また、制御部１７は、センサ１３が検出した生体情報に基づいて、ユーザの個別聴覚特性を補正し、外部音声を再生する処理を行う。また、制御部１７は、センサ１３により検出された生体情報と、個別聴覚特性とを情報端末２０へ送信する。
【００２５】
また、初期設定時には、制御部１７は、サーバ３０から提供された標準聴覚特性に基づいて、テスト音声の再生を行う。なお、標準聴覚特性とは、同一のプロフィールを有する複数のユーザに共通する聴覚特性をいう。
【００２６】
上記の構成において、通信部１５は本発明の受信手段に相当し、スピーカ１２は本発明のテスト音声再生手段及び再生手段に相当し、制御部１７は本発明の修正手段に相当する。
【００２７】
（情報端末）
図４は、情報端末２０の構成を示すブロック図である。情報端末２０は、通信部２１と、記憶部２２と、表示部２３と、制御部２４と、入力部２５とを備える。通信部２１は、Ｂｌｕｅｔｏｏｔｈなどの無線通信により補聴器１０と通信するともに、ネットワーク５を通じてサーバ３０と通信する。
【００２８】
記憶部２２は、ＲＡＭなどのメモリにより構成され、情報端末２０における各種の処理を行う際に作業メモリとして機能する。具体的には、記憶部２２には、情報端末２０がサーバ３０から受信して補聴器１０に送信する標準聴覚特性が一時的に保存される。また、記憶部２２には、ユーザの使用感情報に基づいて生成された個別聴覚特性が記憶される。また、記憶部２２には、情報端末２０が補聴器１０から受信してサーバ３０に送信する個別聴覚特性や生体情報が一時的に保存される。さらに、記憶部２２には、情報端末２０が実行する各種の処理のためのプログラムが記憶されている。
【００２９】
表示部２３は、典型的には液晶ディスプレイであり、補聴器１０の調整を行う際に必要な情報、具体的にはテスト音声に対するユーザの評価である使用感情報を入力するための入力画面などが表示される。
【００３０】
制御部２４は、記憶部２２に記憶されているプログラムを実行することにより、情報端末２０の各種の制御を行う。入力部２５は、典型的には表示部２３上に配置されたタッチパネルであり、ユーザによる入力を取得する。
上記の構成において、通信部２１は本発明のプロフィール送信手段及び標準聴覚特性情報転送手段に相当し、入力部２５は本発明の使用感情報取得手段に相当し、制御部２４は本発明の個別聴覚特性情報生成手段に相当する。
【００３１】
（サーバ）
図５は、サーバ３０の機能構成を示すブロック図である。サーバ３０は、通信部３１と、制御部３２と、標準生体マスターデータベース（以下、「データベース」を「ＤＢ」と記す。）３３と、個別生体マスターＤＢ３４とを備える。通信部３１は、ネットワーク５を介して情報端末２０と通信する。制御部３２は、ＣＰＵなどを含んで構成され、サーバ３０全体を制御する。
【００３２】
標準生体マスターＤＢ３３は、標準生体マスター情報を記憶する。標準生体マスター情報は、各種のプロフィールに対応する標準聴覚特性を含む。「プロフィール」は、ユーザの人種（国籍）、性別、年齢、既往症などを含む。標準聴覚特性は、ある特定のプロフィールに該当する多数のユーザについての標準的な聴覚特性を示す。即ち、人種（国籍）、性別及び年齢ごとに、標準聴覚特性が用意されている。例えば、「日本人、６０才代、男性」というプロフィールに対応して１つの標準聴覚特性が用意され、「日本人、７０才代、男性」というプロフィールに対応して１つの標準聴覚特性が用意される。さらに、ユーザが既往症を有する場合には、同一のプロフィールについて、既往症別に標準聴覚特性が用意される。例えば、「日本人、６０才代、男性、正常（既往症なし）」というプロフィールと、「日本人、６０才代、男性、高血圧」というプロフィールとについて、別々に標準聴覚特性が用意される。
【００３３】
一方、個別生体マスターＤＢ３４は、複数のユーザについて個別生体マスター情報を記憶している。「個別生体マスター情報」は、各ユーザについての個別聴覚特性、生体情報及び使用感情報を含む。個別聴覚特性は、あるユーザに固有の聴覚特性であり、生体情報はそのユーザ固有の生体情報である。また、「使用感情報」は、あるユーザの聞こえ方が、標準聴覚特性からどの程度ずれているかを示す指標である。具体的には、使用感情報は、テスト音声全体に対する「聞こえやすい」、「聞こえにくい」などの評価であってもよいし、「低音が聞こえにくい」などの特定の音域に対する評価であってもよい。なお、使用感情報は、補聴器１０から再生されたテスト音声に対するユーザの評価として情報端末２０が取得してサーバ３０に送信する。
【００３４】
上記の構成において、標準生体マスターＤＢ３３は本発明のデータベースに相当し、通信部３１は本発明の標準聴覚特性情報送信手段に相当する。
【００３５】
［補聴器の調整方法］
次に、補聴器１０の調整方法について説明する。
（調整時の処理）
図６は、補聴器１０の調整処理のフローチャートである。この調整処理は、まず、ユーザが補聴器１０を最初に使用する際に行われる。また、その後は、調整処理は、所定期間毎に定期的に行っても良く、ユーザが聞こえにくいと感じたときに行ってもよい。
【００３６】
まず、ユーザが補聴器１０の電源をオンすると、補聴器１０がこれを検出し（ステップＳ１１）、情報端末２０との間で相互認証を行う（ステップＳ１２）。次に、ユーザが自分のプロフィールを情報端末２０に入力すると、情報端末２０は入力されたプロフィールを取得し（ステップＳ１３）、サーバ３０へ送信する（ステップＳ１４）。
【００３７】
サーバ３０は、情報端末２０からプロフィールを受信すると、標準生体マスターＤＢ３３を参照してそのプロフィールに対応する標準聴覚特性を読み出し（ステップＳ１５）、情報端末２０へ送信する（ステップＳ１６）。情報端末２０は、サーバ３０から標準聴覚特性を受信し、補聴器１０に送信する（ステップＳ１７）。
【００３８】
補聴器１０は、センサ１３によりユーザの生体情報を取得する（ステップＳ１８）。また、補聴器１０は、ステップＳ１７で受信した標準聴覚特性に基づいてテスト音声を再生する（ステップＳ１９）。
【００３９】
次に、情報端末２０は、テスト音声の聞こえやすさをユーザに質問する（ステップＳ２０）。具体的には、情報端末２０は、ユーザに対する質問を表示部２３に表示する。図７は、ユーザに対する質問の表示例を示す。この例では、テスト音声が全体的に聞こえやすいか否かに加えて、低音又は高音についての聞こえやすさも質問に含まれている。
【００４０】
このような質問に対して、ユーザが情報端末２０を操作して回答を入力すると、情報端末２０は、入力された回答に基づいて標準聴覚特性を修正してそのユーザについての個別聴覚特性を生成し、記憶部２２に記憶する（ステップＳ２１）。例えば、ユーザの回答が「全体的に聞こえにくい」であった場合、情報端末２０は、標準聴覚特性の全帯域のレベルを増加させたものを個別聴覚特性として生成する。また、ユーザの回答が「低音が聞こえにくい」であった場合、情報端末２０は、標準聴覚特性の低域のレベルを増加させたものを個別聴覚特性として生成する。なお、ステップＳ２１で取得したユーザの回答は、そのテスト音声に対するユーザの使用感情報に相当する。そして、情報端末２０は、生成された個別聴覚特性を補聴器１０へ送信する（ステップＳ２２）。
【００４１】
補聴器１０は、情報端末２０から受信した個別聴覚特性を記憶部１６に記憶する（ステップＳ２３）。この個別聴覚特性は、その後に補聴器１０を使用する際に利用される。
【００４２】
次に、補聴器１０は、ステップＳ１８においてセンサ１３により検出したユーザの生体情報を情報端末２０へ送信する（ステップＳ２４）。情報端末２０は、ステップＳ２１で取得した使用感情報（質問に対するユーザの回答）と、ステップＳ２１で生成した個別聴覚特性と、ステップＳ２４で補聴器１０から送信された生体情報とを、個別生体マスター情報としてサーバ３０へ送信する（ステップＳ２５）。サーバ３０は、受信した個別生体マスター情報を、そのユーザに対応付けて個別生体マスターＤＢ３４に記憶する（ステップＳ２６）。こうして調整処理は終了する。
【００４３】
上記の調整処理によれば、ユーザのプロフィールに対応する標準聴覚特性をそのときのユーザの聞こえやすさを示す使用感情報に基づいて修正して、そのユーザの個別聴覚特性情報を生成するので、補聴器１０はそのときのユーザの状況に応じた個別聴覚特性に基づいて音声を再生することが可能となる。
【００４４】
なお、補聴器１０は、ステップＳ２２で情報端末２０から個別聴覚特性を受信した後、その個別聴覚特性に基づいて再度テスト音声を生成して再生してもよい。そして、ユーザの使用感情報が全帯域で聞こえやすくなるまで、ステップＳ１９〜Ｓ２２を繰り返しても良い。
【００４５】
上記の調整処理は、ユーザが使用する補聴器１０が左右の耳の一方のみのときは、その１つのみについて行えばよい。また、ユーザが左右の耳用の一組の補聴器１０を使用する場合には、左右の耳に補聴器１０を装着した状態で上記の調整処理を行えばよい。この場合には、ユーザの使用感情報として、「右耳が全体的に聞こえにくい。」、「左耳の低音が聞こえにくい。」など、左右の耳毎に使用感情報を取得してもよいし、「全体的に低音が聞こえにくい。」など、両耳を合わせた、聞こえやすさを示す使用感情報を取得しても良い。左右の耳に補聴器１０を装着した場合には、上記の調整処理により、左右個々の補聴器１０の聞こえやすさに加えて、両耳を合わせた、聞こえやすさ（左右の聞こえやすさのバランス）も調整することができる。
【００４６】
（通常使用処理）
次に、上記の調整処理後に、ユーザが補聴器１０を使用する際の通常使用処理について説明する。図８は、通常使用処理のフローチャートである。この処理は、補聴器１０の制御部１７が予め用意されたプログラムを実行することにより実現される。
【００４７】
まず、制御部１７は、ユーザによる電源オンを検出すると（ステップＳ３１）、記憶部１６に記憶されている個別聴覚特性を読み出す（ステップＳ３２）。前述のように、記憶部１６に記憶されている個別聴覚特性は、調整処理においてユーザの使用感情報に基づいて生成された特性となっている。
【００４８】
次に、制御部１７は、センサ１３により検出されたユーザの生体情報を取得し（ステップＳ３３）、生体情報に基づいて、個別聴覚特性を修正する（ステップＳ３４）。例えば、一般的に血圧が高い場合に特定の周波数の音が聞こえにくくなるという知見が得られている場合には、制御部１７は、生体情報に含まれる血圧に基づいて、その特定周波数の音のレベルを増加させるように個別聴覚特性を修正する。また、一般的に興奮状態にある場合に低音／高音が聞こえにくくなるという知見が得られている場合には、制御部１７は、生体情報としての血圧、脈波、心拍数、体温、発汗などに基づいてユーザが興奮状態にあるか否かを判定し、興奮状態にあると判定した場合には、低音／高音のレベルを増加させるように個別聴覚特性を修正する。
【００４９】
そして、制御部１７は、ステップＳ３４において必要に応じて修正された個別聴覚特性に基づいて、マイク１１で集音された外部音声を増幅し、スピーカ１２から再生する（ステップＳ３５）。これにより、そのときのユーザの心身の状況に適合する特性で音声を再生することができる。
【００５０】
次に、制御部１７は、補聴器１０の電源がオフされたか否かを判定する（ステップＳ３６）。電源がオフされていない場合（ステップＳ３６：Ｎｏ）、処理はステップＳ３３へ戻る。一方、電源がオフされている場合（ステップＳ３６：Ｙｅｓ）、通常使用処理は終了する。
【００５１】
（標準生体マスター情報の更新処理）
次に、サーバ３０における標準生体マスター情報の更新処理について説明する。図６に示すように、補聴器１０の調整処理が行われると、その際のユーザの生体情報、使用感情報、及び、個別聴覚特性を含む個別生体マスター情報がサーバ３０へ提供される。こうして、全世界の多数のユーザの個別生体マスター情報がサーバ３０に収集されるので、サーバ３０はこの情報を分析し、必要に応じて、標準聴覚特性を含む標準生体マスター情報を修正していくことができる。例えば、サーバ３０の制御部３２は、一定期間毎に、新たに取得した個別生体マスター情報に含まれる個別聴覚特性を平均化するなどして得た聴覚特性に基づいて、標準聴覚特性を補正することができる。これにより、標準生体マスターＤＢ３３に記憶されている標準聴覚特性を適切に更新していくことができる。
【符号の説明】
【００５２】
１０  補聴器
２０  情報端末
３０  サーバ
３２  標準生体マスターＤＢ
３３  個別生体マスターＤＢ
【図１】
2017069762.tif 000003
【図２】
2017069762.tif 000004
【図３】
2017069762.tif 000005
【図４】
2017069762.tif 000006
【図５】
2017069762.tif 000007
【図６】
2017069762.tif 000008
【図７】
2017069762.tif 000009
【図８】
2017069762.tif 000010